(57)【要約】【課題】、商品展示室の側面に配線を通す際の外観品位を向上する自動販売機を提供することを目的とする。【解決手段】自動販売機本体１の前面に一端をヒンジ結合した外扉２内に設けられた商品展示室３を備え、商品展示室３の前面の電照板６に商品選択ボタン５を有し、商品展示室３の側面に固定部材１２ｂを備え、固定部材１２ｂは前面に上下方向に沿った断面Ｌ字フランジ部１３を有し、前記フランジ部に商品選択ボタンからの配線を通すための切欠きを設けたことにより、商品展示室の側面の外観品位を向上することができる。【選択図】図１
2012226568.tif 000002
【特許請求の範囲】
【請求項１】
自動販売機本体の前面に一端をヒンジ結合した外扉内に設けられた商品展示室を備え、前記商品展示室の前面の電照板に商品選択ボタンを有し、前記商品展示室の側面に固定部材を備え、前記固定部材は前面に上下方向に沿った断面Ｌ字状フランジ部と前記断面Ｌ字フランジ部に連続して折り返し形成した断面コの字フランジ部を有し、前記断面コの字フランジ部に商品選択ボタンからの配線を通すための切欠きを設けたことを特徴とする自動販売機。
【請求項２】
前記切欠きを上下方向に分割して形成したことを特徴とする請求項１に記載の自動販売機。
【発明の詳細な説明】
【技術分野】
【０００１】
本発明は自動販売機の外扉構造に関するものである。
【背景技術】
【０００２】
従来の自動販売機の外扉構造としては特許文献１に示されているものがある。
【０００３】
以下、図面を参照しながら上記従来の自動販売機の外扉構造について説明する。図３は、従来の自動販売機の商品展示室の斜視図であり、図４は、自動販売機の固定部材切欠き部の平面図であり、図５は、従来の自動販売機の正面斜視図である。
【０００４】
図３、図４、図５に示すように、従来の自動販売機は、自動販売機本体１の前面に一端をヒンジ結合して設けた外扉２と、外扉２内に設けられた商品展示室３、商品展示室３に設けられた商品展示台４、商品展示台４と同ピッチにて商品展示室３の前面に設けられた商品選択ボタン５の取り付いた透明な電照板６と、電照板６を外扉２に貼り付けられたクッション材７に押し当てて固定している商品選択ボタン５の配線８を通す目隠し部材９ａ、９ｂの設けられた上下に長い切欠き１０ａ、１０ｂと幅の小さい切欠き１１ａを設けられた固定部材１２ａとから構成されている。
【０００５】
以上のように構成された自動販売機について、以下その動作を説明する。
【０００６】
商品選択時や硬貨、紙幣挿入時など商品を購入しようと利用者が自動販売機に近づいた時に、商品展示室３の側面に商品選択ボタン５の配線８を通す目隠し部材９ａがあるために切欠き１１ａから内部を見えにくくすると共に、商品選択ボタンの位置変動に対して固定部材を統一することで工場での生産性向上や低コストでの部材製作を実現することができる。
【先行技術文献】
【特許文献】
【０００７】
【特許文献１】特開２０１０−１２８５４９号公報
【発明の概要】
【発明が解決しようとする課題】
【０００８】
しかしながら、上記従来の構成では、商品選択時や硬貨、紙幣挿入時など商品を購入しようと自動販売機に近づいた時には、斜め方向より固定部材を認識することになり、目隠し部材があるとはいえ、上下に長い切欠きがあることが目についてしまい外観品位が低下するといった欠点があった。
【０００９】
本発明は従来の課題を解決するもので、商品購入時に自動販売機の前に立ったとしても上下に長い切欠きと幅の小さい切欠きを目に入りにくくすることで外観品位の向上と共に、商品選択ボタンの位置変動に対して固定部材を統一することで工場での生産性を上げることや低コストでの部材製作を実現できる自動販売機を提供することを目的とする。
【課題を解決するための手段】
【００１０】
上記従来の課題を解決するために、本発明の自動販売機は、自動販売機本体の前面に一端をヒンジ結合した外扉内に設けられた商品展示室を備え、前記商品展示室の前面の電照板に商品選択ボタンを有し、前記商品展示室の側面に固定部材を備え、前記固定部材は前面に上下方向に沿った断面Ｌ字状フランジ部と前記断面Ｌ字フランジ部に連続して折り返
し形成した断面コの字フランジ部を有し、前記断面コの字フランジ部に商品選択ボタンからの配線を通すための切欠きを設けたものである。
【００１１】
これによって、商品展示室の側面の外観品位を向上することができるとともに、商品選択ボタンの位置変動に対しても固定部材を変更する必要がないため、工場での生産性を上げることができ、部品種類を削減できるために低コスト化を図ることができる。
【発明の効果】
【００１２】
本発明の自動販売機は、固定部材の前面に上下方向に沿った断面Ｌ字状フランジ部に連続して折り返し形成した断面コの字フランジ部を有し、前記断面コの字フランジ部に商品選択ボタンからの配線を通すための切欠きを設けたことにより、低コスト化を図りながら商品展示室の側面の外観品位を向上することができる。
【図面の簡単な説明】
【００１３】
【図１】本発明の実施の形態１における自動販売機の商品展示室の斜視図
【図２】本発明の実施の形態１における自動販売機の固定部材切欠き部の平面図
【図３】従来の自動販売機の商品展示室の斜視図
【図４】従来の自動販売機の固定部材切欠き部の平面図
【図５】従来の自動販売機の正面斜視図
【発明を実施するための形態】
【００１４】
請求項１に記載の発明は、自動販売機本体の前面に一端をヒンジ結合した外扉内に設けられた商品展示室を備え、前記商品展示室の前面の電照板に商品選択ボタンを有し、前記商品展示室の側面に固定部材を備え、前記固定部材は前面に上下方向に沿った断面Ｌ字状フランジ部と前記断面Ｌ字フランジ部に連続して折り返し形成した断面コの字フランジ部を有し、前記断面コの字フランジ部に商品選択ボタンからの配線を通すための切欠きを設けたことにより、商品展示室の側面の外観品位を向上することができるとともに、商品選択ボタンの位置変動に対しても固定部材を変更する必要がないため、工場での生産性を上げることができ、部品種類を削減できるために低コスト化を図ることができる。
【００１５】
請求項２記載の発明は、請求項１に記載の発明において、前記切欠きを上下方向に分割して形成したものであり、前記切欠きの分割部に前記電照板が当接する当接部を形成でき、外扉前面より切欠きのある箇所の電照板端を指で押えても当接部があるために、後方にたわんで外扉と電照板の間に隙間が発生し、いたずらされるということを防止できる作用を有する。この時、当接部には商品選択ボタンの配線を通すことはできないが幅を狭くすることによりその上下に通しても扉正面から見ても選択ボタン横に配線が通っているように見えるために外観品位を落とすことはない。
【００１６】
以下、本発明の実施の形態について図面を参照しながら説明するが、従来例または先に説明した実施の形態と同一構成については同一符号を付して、その詳細な説明は省略する。なお、この実施の形態によってこの発明が限定されるものではない。
【００１７】
（実施の形態１）
図１は、本発明の実施の形態による自動販売機の商品展示室の斜視図であり、図２は固定部材切欠き部の平面図である。
【００１８】
図１、図２に示すように、自動販売機本体１の前面に一端をヒンジ結合した外扉２内に設けられた商品展示室３を備え、商品展示室３の内部には商品サンプルを展示する商品展示台４と前面には電照板６を有し、電照板６に設けられた商品選択ボタン５に接続された配線８を通すために外扉２の側面には固定部材１２ｂを備えている。
【００１９】
そして、固定部材１２ｂの前面には上下方向に沿った断面Ｌ字フランジ部１３と、断面Ｌ字フランジ部１３の奥側に連続して折り返し形成した断面コの字フランジ部１４を備え、断面コの字フランジ部１４に上下に長い切欠き１０ｃ、１０ｄと幅の小さい切欠き１１ｂが設けられている。この時、固定部材１２ｂの先端部に設けられた断面コの字フランジ部１４は、電照板６を外扉２に貼り付けられたクッション材７に押し当てて固定している。
【００２０】
以上にように構成された自動販売機について、以下その動作、作用を説明する。
【００２１】
自動販売機の商品展示台４には視覚的にアピール出来るために販売商品の実物大の商品サンプルを展示することが多い。商品の大きさというものはほほ決まっているために数段ある商品展示台４間の上下方向ピッチというものも、下段の商品展示台４を基準として複数あるものの決まってくるものである。
【００２２】
商品選択ボタン５は商品展示台４の前面に配置されており、そのピッチは商品展示台４と同等となることが主である。その商品選択ボタン５に接続された配線８が電照板６の裏側に沿って近傍の外扉２に目視可能箇所が最小となるように這わされる。
【００２３】
具体的には、商品選択ボタン５に接続された配線８は、固定部材１２ｂの断面Ｌ字フランジ部１３の前面を通って、断面Ｌ字フランジ部１３の奥側に連続して折り返し形成した断面コの字フランジ部１４の電照板６側に形成した上下に長い切欠き１０ｃ、１０ｄあるいは幅の小さい切欠き１１ｂを通り外扉２の内部にはわされる。
【００２４】
この時、上下に長い切欠き１０ｃ、１０ｄと幅の小さい切欠き１１ｂは、断面Ｌ字フランジ部１３の奥側に連続して折り返し形成した断面コの字フランジ部１４の電照板６側に形成しているので、外扉２と電照板６の境面よりも外扉２側の奥側に配置でき、商品購入時などで自動販売機の正面に立ったとしても、目に入るのは固定部材１２ｂの上下方向に沿った断面Ｌ字フランジ部１３で、その奥側（外側）にある上下に長い切欠き１０ｃ、１０ｄと幅の小さい切欠き１１ｂは目に入りにくい。
【００２５】
このことより、外観品位を向上させることができる。そして、自動販売機の生産面では固定部材１２ｂの種類を複数設定せずにすむために部品種類の削減、統一化を進めることができ、工場での部品組立時に部品切替によるロスがなくなるために生産性を上げることができると共に加工時の生産ロット数を上げることができ低コストでの部材製作を実現できる。
【００２６】
また、図１に示すように、上下に長い切欠き１０ｃ、１０ｄを分割して形成することで、切欠き１０ｃ、１０ｄの中間部に電照板６と対向する幅の狭い当接部１５が形成されることになる。
【００２７】
これにより、自動販売機は屋外に置かれることが多く、夜間など人通りの少ない場合などいたずらされることもあり、特に電照板周りはその対象になることがある。固定部材１２ｂにて電照板６を外扉２に固定しているが、上下に長い切欠き１０ｃ、１０ｄの大きさによっては上下に長い切欠き１０ｃ、１０ｄ付近を電照板６の前面から押えた場合に樹脂材料である電照板６が湾曲して外扉２と電照板６の間に隙間ができ、その隙間からいたずらされるという可能性がある。
【００２８】
しかしながら、本実施の形態では、上下に長い切欠き１０ｃ、１０ｄの中間部に当接部１５を形成することで電照板６の湾曲を防止し、いたずらを防ぐことができる。この時、
商品選択ボタン５の配線８が上下に長い切欠き１０ｃ、１０ｄを通り外扉２の内部にはわされるが、当接部１５の幅を小さく設けることで電照板６に沿って近傍の外扉２に目視可能箇所が最小となるようには這わしたとしても配線８の邪魔となることはない。
【００２９】
以上のように本実施の形態の自動販売機は、切欠き１０ｃ、１０ｄの中間部に電照板６に当てるための幅の狭い当接部１５が設けたことにより、外扉２前面より切欠き１０ｃ、１０ｄのある箇所の電照板６端を指で押えても中間部に当接部１５があるために、後方にたわんでクッション材７と電照板６の間に隙間が発生し、いたずらされるということを防止することができる。この時、当接部１５には商品選択ボタン５の配線８を通すことはできないが幅を狭くすることによりその上下に通しても外扉２正面から見ても商品選択ボタン５横に配線８が通っているように見えるために外観品位を落とすことはない。
【産業上の利用可能性】
【００３０】
以上のように、本発明にかかる自動販売機は、商品展示室の側面に配線を通す際の外観品位を向上することができるので、商品展示室に商品選択ボタンを備えたあらゆる自動販売機器に適用できる。
【符号の説明】
【００３１】
１  自動販売機本体
２  外扉
３  商品展示室
５  商品選択ボタン
６  電照板
８  配線
１０ｃ、１０ｄ、１１ｂ  切欠き
１２ｂ  固定部材
１３  断面Ｌ字フランジ部
１４  断面コの字フランジ部
１５  当接部
【図１】
2012226568.tif 000003
【図２】
2012226568.tif 000004
【図３】
2012226568.tif 000005
【図４】
2012226568.tif 000006
【図５】
2012226568.tif 000007